(57)【特許請求の範囲】
【請求項１】
使用者の身体を保持する保持部材（５）を備え、該保持部材（５）は、底壁部（１７）と一対の側壁部（１８）とを備え、保持部材（５）の中央側に、空気の給排により膨張収縮動作する一対のエアセル（３７）が、前記一対の側壁部（１８）にそれぞれ対向するように設けられ、側壁部（１８）とこれに対向するエアセル（３７）との間に挿入した身体をエアセル（３７）でマッサージするようにしたマッサージ機において、
前記一対のエアセル（３７）を同時に膨張させたときに互いに反対方向に押圧し合うように、一対のエアセル（３７）が互いに対向して設けられ、
前記一対のエアセル（３７）の身体押圧側にそれぞれ内部に硬質の芯材（３３）が組み込まれた一対の押圧体（２７）が設けられ、
前記一対の押圧体（２７）は、左右方向に互いに接離移動するように底壁部（１７）に支持されており、
前記一対のエアセル（３７）は、該エアセル（３７）の外側面が対応する押圧体（２７）の内側面に貼り付けられ、
前記一対のエアセル（３７）は、それぞれ前記押圧体（２７）を介して身体を押圧するように構成されていることを特徴とするマッサージ機。
【請求項２】
両足を保持する保持部材（５）を備え、該保持部材（５）は、底壁部（１７）と、底壁部（１７）の左右両側から突出した左右一対の側壁部（１８）とを備え、保持部材（５）の左右方向中央側に、左右一対のエアセル（３７）が、前記左右一対の側壁部（１８）にそれぞれ対向するように設けられ、各エアセル（３７）の膨張収縮動作によって、側壁部（１８）とこれに対向するエアセル（３７）との間に保持された足をそれぞれマッサージするようにしたマッサージ機において、
前記左右一対のエアセル（３７）は、同時に膨張させたときに互いに反対方向に押圧し合うように、互いに対向しかつ接近して配置され、
前記左右一対のエアセル（３７）の身体押圧側にそれぞれ内部に硬質の芯材（３３）が組み込まれた左右一対の押圧体（２７）が設けられ、
前記左右一対の押圧体（２７）は、左右方向に互いに接離移動するように底壁部（１７）に支持されており、
前記左右一対のエアセル（３７）は、該エアセル（３７）の外側面が対応する押圧体（２７）の内側面に貼り付けられ、
前記左右一対のエアセル（３７）は、それぞれ前記押圧体（２７）を介して身体を押圧するように構成されていることを特徴とするマッサージ機。
【請求項３】
前記一対のエアセル（３７）の間に、一対のエアセル（３７）を互いに反対側に押圧するように膨張する中間エアセル（６１）が設けられていることを特徴とする請求項１又は２に記載のマッサージ機。
【請求項４】
前記一対の側壁部（１８）の内側面に、空気の給排により膨張収縮動作する側部エアセル（４１）が設けられ、この側部エアセル（４１）と前記一対のエアセル（３７）との間で身体を挟んでマッサージするようにしたことを特徴とする請求項１〜３のいずれかに記載のマッサージ機。
【請求項５】
前記底壁部（１７）の上面に、前記側壁部（１８）とこれに対向するエアセル（３７）との間に位置して底部エアセル（４２）が設けられ、側壁部（１８）とこれに対向するエアセル（３７）との間に保持された身体を底部エアセル（４２）でマッサージするようにしたことを特徴とする請求項１〜４のいずれかに記載のマッサージ機。
【請求項６】
側壁部（１８）とこれに対向するエアセル（３７）との間で身体を挟持した後に底部エアセル（４２）を膨張させるように、前記底部エアセル（４２）に対する空気の給排を制御するようにしたことを特徴とする請求項５に記載のマッサージ機。
【請求項７】
前記保持部材（５）の底壁部（１７）と一対の側壁部（１８）とが、内部が中空となるように合成樹脂により一体に成形されていることを特徴とする請求項１〜６のいずれかに記載のマッサージ機。
【発明の詳細な説明】
【０００１】
【産業上の利用分野】
本発明は、マッサージ機に関するものである。
【０００２】
【従来の技術】
従来のマッサージ機には、図３５に示すように左右一対の側壁部８１を有する保持部材（フットレスト）８２を備え、保持部材８２の左右方向中央側に、左右一対のエアセル８３を、一対の側壁部８１にそれぞれ対向するように設け、側壁部８１とこれに対向するエアセル８３との間に挿入して足を、各エアセル８３の膨張収縮動作によってマッサージするようにしたものがあるが、従来のこの種のマッサージ機では、同図に示すように、保持部材８２の左右方向中央側に、中間壁部８５を設け、中間壁部８５の両側面に、前記一対のエアセル８３をそれぞれ配置し、エアセル８３への空気の供給によって、各エアセル８３を中間壁部８５から左右方向外方側（対向する側壁部８１側）に膨出させ、一対の側壁部８１とこれに対向するエアセル８３（中間壁部８５）との間に保持された足を、直接エアセル８３で押圧してマッサージするようにしていた（例えば特開平８−８９５４０）。
【０００３】
【発明が解決しようとする課題】
従って、従来の場合、中間壁部８５が必要であり、このため保持部材８２の形状が必要以上に大型化という問題があった。また、中間壁部８５を必要とするため、それだけ保持部材８２等の製造が面倒になり、製造費も高く付いた。
本発明は上記問題点に鑑み、足等の身体に対してより良好なマッサージをなし得ると共に、保持部材等の中間壁部を不要にして、マッサージ機を製造容易でかつ安価に提供できるようにしたものである。
【０００４】
【課題を解決するための手段】
上記問題点を解決する本発明の技術手段は、使用者の身体を保持する保持部材５を備え、該保持部材５は、底壁部１７と一対の側壁部１８とを備え、保持部材５の中央側に、空気の給排により膨張収縮動作する一対のエアセル３７が、前記一対の側壁部１８にそれぞれ対向するように設けられ、側壁部１８とこれに対向するエアセル３７との間に挿入した身体をエアセル３７でマッサージするようにしたマッサージ機において、前記一対のエアセル３７を同時に膨張させたときに互いに反対方向に押圧し合うように、一対のエアセル３７が互いに対向して設けられ、前記一対のエアセル３７の身体押圧側にそれぞれ内部に硬質の芯材３３が組み込まれた一対の押圧体２７が設けられ、前記一対の押圧体２７は、左右方向に互いに接離移動するように底壁部１７に支持されており、前記一対のエアセル３７は、該エアセル３７の外側面が対応する押圧体２７の内側面に貼り付けられ、前記一対のエアセル３７は、それぞれ前記押圧体２７を介して身体を押圧するように構成されている点にある。
【０００５】
本発明の他の技術手段は、両足を保持する保持部材５を備え、該保持部材５は、底壁部１７と、底壁部１７の左右両側から突出した左右一対の側壁部１８とを備え、保持部材５の左右方向中央側に、左右一対のエアセル３７が、前記左右一対の側壁部１８にそれぞれ対向するように設けられ、各エアセル３７の膨張収縮動作によって、側壁部１８とこれに対向するエアセル３７との間に保持された足をそれぞれマッサージするようにしたマッサージ機において、前記左右一対のエアセル３７は、同時に膨張させたときに互いに反対方向に押圧し合うように、互いに対向しかつ接近して配置され、前記左右一対のエアセル３７の身体押圧側にそれぞれ内部に硬質の芯材３３が組み込まれた左右一対の押圧体２７が設けられ、前記左右一対の押圧体２７は、左右方向に互いに接離移動するように底壁部１７に支持されており、前記左右一対のエアセル３７は、該エアセル３７の外側面が対応する押圧体２７の内側面に貼り付けられ、前記左右一対のエアセル３７は、それぞれ前記押圧体２７を介して身体を押圧するように構成されている点にある。
【０００７】
本発明の他の技術手段は、前記一対のエアセル３７の間に、一対のエアセル３７を互いに反対側に押圧するように膨張する中間エアセル６１が設けられている点にある。本発明の他の技術手段は、前記一対の側壁部１８の内側面に、空気の給排により膨張収縮動作する側部エアセル４１が設けられ、この側部エアセル４１と前記一対のエアセル３７との間で身体を挟んでマッサージするようにした点にある。
【０００８】
本発明の他の技術手段は、前記底壁部１７の上面に、前記側壁部１８とこれに対向するエアセル３７との間に位置して底部エアセル４２が設けられ、側壁部１８とこれに対向するエアセル３７との間に保持された身体を底部エアセル４２でマッサージするようにした点にある。
本発明の他の技術手段は、側壁部１８とこれに対向するエアセル３７との間で身体を挟持した後に底部エアセル４２を膨張させるように、前記底部エアセル４２に対する空気の給排を制御するようにした点にある。
【０００９】
本発明の他の技術手段は、前記保持部材５の底壁部１７と一対の側壁部１８とが、内部が中空となるように合成樹脂により一体に成形されている点にある。
【００１０】
【実施の形態】
以下、本発明の実施の形態を図面に基づいて説明する。
図７は、椅子型のマッサージ機１の全体構成を示している。図７において、マッサージ機１は、脚体２により支持された座部３と、座部３の後部に設けられた背凭れ部４と、座部３の前部下方に設けられた足の保持部材（フットレスト）５と、座部３の左右両側に設けられたひじ掛け部６とを具備している。
背凭れ部４は、図示省略のリクライニング装置により座部３の後端側を支点としてリクライニング可能に構成されている。また、保持部材５は、図示省略の姿勢調整機構によって、座部３の前端部から垂下する垂下姿勢と、座部３の前端部から前方に突出する前方突出姿勢とに姿勢変更可能となるように構成されている。
【００１１】
背凭れ部４の左右中央部にマッサージ器８が昇降自在に内蔵されている。マッサージ器８は、複数の施療子（揉み玉、マッサージ用のローラ）９を備え、マッサージ用モータの回転動力を施療子９に伝達して該各施療子９に揉み動作や叩き動作をさせるように構成されている。また、マッサージ器８は、昇降手段により背凭れ部４内を上下移動（昇降）可能に構成されている。
前記座部３には、前後に複数の袋状のエアセル１３，１４が設けられている。各エアセル１３，１４は、袋状に形成されて座部３内に組み込まれ、空気を給排することにより空気圧によって膨張収縮動作するように構成され、後側のエアセル１３は使用者の尻を押圧によるマッサージをし、前側のエアセル１４は、使用者の太ももを押圧によるマッサージをするようになっている。
【００１２】
図１〜図６において、前記保持部材５は、底壁部１７と、底壁部１７の左右両側から前方突出した左右一対の側壁部１８とを備え、保持部材５は、左右一対の側壁部１８間に使用者の両足を保持して、その保持した両足をマッサージするように構成されている。
前記保持部材５の底壁部１７と一対の側壁部１８とは、例えばブロー成形によって内部が中空となるように硬質の合成樹脂により一体に成形されている。底壁部１７の左右方向中央部に開口窓２０が貫通状に形成され、底壁部１７の左右方向の中央側と外側側とにホース挿通用の挿通孔２１，２２が左右一ずつ貫通形成され、さらに左右方向の中途部に左右一対の貫通状の挿通孔２３と挿通孔２３に連通した左右一対の凹部２４とが階段状に形成されている。また、一対の側壁部１８にホース挿通用の凹部２５が側壁部１８の内側面から外側方に凹むように形成されている。
【００１３】
保持部材５の左右方向中央側に、左右一対の押圧体（可動体、施療体）２７が、前記左右一対の側壁部１８にそれぞれ対向するように設けられ、一対の押圧体２７は、対向する側壁部１８との間でそれぞれ足を保持する保持溝２８を形成している。側壁部１８とこれに対応する押圧体２７とは互いにハの字状に傾斜しており、各保持溝２８はその溝方向の一方側（座部３に連結されている基部側）が他方側（先端側）に向けて次第に小幅になるように形成されている。これは、保持溝２８に嵌合保持される足の形状に適合させたものである。
【００１４】
前記一対の押圧体２７は、身体押圧側の第一軟質部３１とその反対側の第二軟質部３２とを備え、これら第一軟質部３１と第二軟質部３２との間に硬質の芯材３３が配置されている。従って、一対の押圧体２７の身体押圧側（保持溝２８側）は、軟質部３１で構成され、一対の押圧体２７の内部には、硬質の芯材３３が組み込まれている。第一軟質部３１は、発砲ウレタン等の軟質性及びクッション性に富んだ材料によって構成され、第二軟質部３２は、ウレタン等の第一軟質部３１よりもやや硬い軟質材料で構成され、芯材３３は合板や硬質の合成樹脂板等により構成されている。一対の押圧体２７の芯材３３及び第二軟質部３２の下部には、ホース挿通用の切り欠き凹部３４，３５が連続状に設けられている。
【００１５】
前記一対の押圧体２７は、それぞれ弾性板（弾性体）３６を介して底壁部１７に連結されている。この各弾性板３６は弾性を有する合成樹脂板等により構成されている。各弾性板３６はその一端側と他端側との間で弾性変形によってＬ字状に屈曲され、弾性板３６の一端側は底壁部１７の上面に連結固定され、弾性板３６の他端側は押圧体２７の芯材３３に連結固定されている。一対の押圧体２７は、弾性板３６の弾性により底壁部１７側を支点に左右に揺動可能とされている。従って、一対の押圧体２７は、左右方向に互いに接離移動するように弾性板３６を介して底壁部１７に支持されている。
【００１６】
保持部材５の左右方向中央側に、左右一対の中央エアセル３７が、前記左右一対の側壁部１８にそれぞれ対向するように設けられている。各中央エアセル３７は左右に扁平な袋状に形成されており、空気を給排することにより空気圧によって主として左右に膨張収縮動作するように構成されている。これら左右一対の中央エアセル３７は、前記左右一対の押圧体２７間に設けられ、一対の中央エアセル３７は互いに対向しかつ接近して配置されている。また、各中央エアセル３７の外側面が対応する押圧体２７の内側面に貼り付けられている。
【００１７】
従って、一対の中央エアセル３７を同時に膨張させたときに、中央エアセル３７同士が互いに反対方向に押圧し合って、左右一対の中央エアセル３７の膨張収縮動作によって押圧体２７を左右に揺動させて、側壁部１８とこれに対向する押圧体２７との間の保持溝２８に保持された足を押圧体２７を介してマッサージするようになっている。即ち、一対の中央エアセル３７の身体押圧側にそれぞれぞれ押圧体２７が設けられ、一対の中央エアセル３７は押圧体２７を介して身体（保持溝２８に嵌合保持された足）を押圧するようになっている。
【００１８】
前記左右一対の側壁部１８の内側面に、空気の給排により膨張収縮動作する側部エアセル４１が設けられ、この側部エアセル４１と前記一対の中央エアセル３７との間で身体を挟んでマッサージするようになっている。また、底壁部１７の上面に、前記側壁部１８とこれに対向する押圧体２７との間に位置して底部エアセル４２が設けられ、側壁部１８とこれに対向する押圧体２７との間の保持溝２８に保持された足を底部エアセル４２でマッサージするようになっている。
前記側部エアセル４１及び底部エアセル４２は、前記一対の中央エアセル３７と同様に左右又は上下に扁平な袋状に形成されおり、側部エアセル４１は空気を給排することにより空気圧によって主として左右方向内方に膨張収縮動作し、底部エアセル４２は空気を給排することにより空気圧によって主として上下方向に膨張収縮動作するように構成されている。
【００１９】
なお、ここでいう保持部材５等の上下方向及び底壁部１７の上面とは、保持部材５を、座部３の前端部から前方に突出する前方突出姿勢にした場合における上下方向又は上面であり、図７に示すように保持部材５を座部３の前端部から垂下する垂下姿勢にした場合には、上下方向は前後方向となり、上面は後面となる。以下、同様の記載とする。
前記左右一対の中央エアセル３７及び左右一対の側部エアセル４１は、図示省略のコンプレッサー等の空気供給源からバルブ等を介してホース４５により圧縮空気を給排するように構成され、一対の底部エアセル４２には、図示省略のコンプレッサー等の空気供給源からバルブ等を介してホース４６により圧縮空気を給排するように構成されている。
【００２０】
前記ホース４５は、空気供給源側の第一ホース部４７と、第一ホース部４７から左右に分かれた一対の第二ホース部４８と、一対の第二ホース部４８からそれぞれ左右に分かれた第三ホース部５０とを有している。第一ホース部４７、第二ホース部４８及び第三ホース部５０の大部分は、保持部材５の底壁部１７の下面側に配置され、各第三ホース部５０の先端側は、それぞれ挿通孔２１及び切り欠き凹部３４，３５に挿通されて一対の中央エアセル３７に接続され、又はそれぞれ挿通孔２２及び凹部２５に挿通されて一対の側部エアセル４１に接続されており、一対の中央エアセル３７及び一対の側部エアセル４１に空気供給源から空気を同時に給排するようになっている。
【００２１】
前記ホース４６は、空気供給源側の第一ホース部５５と、第一ホース部５５から左右に分かれた一対の第二ホース部５６とを有している。第一ホース部５５及び第二ホース部５６の大部分は、保持部材５の底壁部１７の下面側に配置され、第二ホース部５６の先端側はそれぞれ挿通孔２３に挿通されて、一対の底部エアセル４２にそれぞれ接続されており、左右一対の底部エアセル４２に空気供給源から空気を同時に給排するようになっている。
前記一対の中央エアセル３７、一対の側部エアセル４１及び一対の底部エアセル４２の膨張収縮は、ホース４５，４６を介して、コンプレッサー等の空気供給源からの給排気により行われ、空気供給源からの給気、排気の切り換えは、図示省略の制御部により制御されるバルブ等により行われ、一対の中央エアセル３７及び一対の側部エアセル４１への空気の給排と、一対の底部エアセル４２への空気の給排とは互いに別個になすことができるようになっている。また、図示省略の制御部によるバルブ等の制御によって、例えば一対の中央エアセル３７及び側部エアセル４１に空気を供給してこれらを膨張させた後に、一対の底部エアセル４２に空気を供給して底部エアセル４２を膨張させるようになっており、これにより一対の側壁部１８とこれに対向する一対の押圧体２７との間で足を挟持した後に、底部エアセル４２を膨張させて、足のふくらはぎ等を一対の底部エアセル４２でマッサージするようにしている。
【００２２】
前記底壁部１７、一対の側壁部１８、一対の押圧体２７、一対の中央エアセル３７、一対の側部エアセル４１、一対の底部エアセル４２は、図３に示すように布等で構成した可撓カバー５９によって被覆されている。この可撓カバー５９の被覆は、一対の押圧体２７、一対の中央エアセル３７、一対の側部エアセル４１、一対の底部エアセル４２の膨張収縮動作乃至マッサージ動作を妨げることなく、可撓カバー５９の弾性乃至可撓性によって十分吸収できるようになされている。従って、前述した又は後述するマッサージはこの可撓カバー５９を介してなされることになる。
【００２３】
前記実施の形態によれば、マッサージ機１の使用者が保持部材５の一対の保持溝２８に両足を嵌合保持した状態で、コントローラ等によって足をマッサージするように操作すれば、ホース４５を通して圧縮空気が一対の中央エアセル３７及び一対の側部エアセル４１に給排される。一対の中央エアセル３７への空気の供給により、図２に鎖線で示すように、一対の中央エアセル３７が主として左右方向に膨張し、一対の中央エアセル３７同士が互いに反対方向に押圧し合って、一対の中央エアセル３７が、左右方向外方（対向する側壁部１８側）に膨張し、一対の押圧体２７が弾性板３７の弾性変形により底壁部１７側を支点に左右方向外方に揺動する。また、一対の中央エアセル３７から空気が排出されると、一対の中央エアセル３７が主として左右方向に収縮し、足を押圧していた反力又は弾性板３６の弾性復元力によって押圧体２７が、実線で示す左右方向内方に揺動して元の位置に戻る。
【００２４】
そして、一対の中央エアセル３７への空気の給排を繰り返すことにより、一対の中央エアセル３７が膨張収縮動作を繰り返し、その結果、一対の押圧体２７が底壁部１７側を支点に左右に揺動を繰り返し、これにより、一対の中央エアセル３７乃至一対の押圧体２７により、保持溝２８に保持された足を押圧によるマッサージをする。
従って、保持部材５の左右中央側に、従来のような中間壁部が不要になり、このため保持部材５の形状が必要以上に大型化するのを防止でき、しかも、中間壁部が不要になるため、それだけ保持部材８２乃至マッサージ機１の製造が容易でかつ安価に製造できるようになる。さらに、中央エアセル３７によって足等を直接（布で構成したカバー等を介して押圧する場合を含む）押圧せずに、膨張収縮動作をする必要のない押圧体２７で押圧するため、上記の如く押圧体２７を、身体押圧側の第一軟質部３１や硬質の芯材３３等で構成することにより、身体を押圧する部分を、身体を押圧するのに最も適した材料で構成することが可能になり、足を適度な硬さで押圧でき、より良好なマッサージができようになる。
【００２５】
また、一対の中央エアセル３７乃至一対の押圧体２７により足をマッサージする際に、空気供給源からホース４５を介して、一対の側部エアセル４１にも同時に空気が給排されるため、一対の中央エアセル３７の膨張収縮動作乃至一対の押圧体２７の揺動動作に対応して、一対の側部エアセル４１が主として左右方向への膨張収縮動作を繰り返し、保持溝２８に嵌合保持された足を、一対の中央エアセル３７乃至一対の押圧体２７と、一対の側部エアセル４１とで左右両側から挟むように揉みほぐすことができる。
【００２６】
また、一対の底部エアセル４２には、空気供給源から一対の中央エアセル３７及び一対の側部エアセル４１とは別個にホース４６を介して空気が給排され、一対の底部エアセル４２は主として上下方向に膨張収縮を繰り返し、保持溝２８に嵌合保持された足のふくらはぎ等を押圧によるマッサージを繰り返す。このとき、制御部によるバルブ等の制御により、左右一対の中央エアセル３７及び側部エアセル４１に空気を供給してこれらを膨張させた後に、一対の底部エアセル４２に空気を供給して一対の底部エアセル４２を膨張させることによって、一対の側壁部１８とこれに対向する押圧体２７との間で足を保持溝２８から外れないように挟持した後に、足のふくらはぎ等を底部エアセル４２で効果的なマッサージすることができる。
【００２７】
なお、上記図１〜図７の実施の形態では、保持部材５の左右方向中央側に、別個に形成された左右一対の中央エアセル３７が、一対の側壁部１８にそれぞれ対向するように設けられているが、これに代え、一対の中央エアセル３７を一体に形成するようにしてもよいし、また１枚のエアセルで一対のエアセル３７を兼用するようにしてもよい。この場合、一体に形成した又は１枚のエアセル３７を、保持部材５で保持した使用者の両足（身体）間に配置し、膨張させたときに、エアセル３７の一方側で使用者の身体の一部をマッサージすると共に、エアセル３７の他方側で使用者の身体の他の一部をマッサージするようになる。
【００２８】
図８〜図１５は他の実施の形態を示し、前記左右一対の中央エアセル３７の間に中間エアセル６１が設けられている。中間エアセル６１は左右に扁平な袋状に形成されおり、空気を給排することにより空気圧によって主として左右に膨張収縮動作するように構成され、左右に膨張することによって、前記一対の中央エアセル３７を互いに反対側に押圧するようになっている。
中間エアセル６１は、図示省略のコンプレッサー等の空気供給源からバルブ等を介して、ホース６２により圧縮空気を給排するように構成されている。このホース６２は、前記中央エアセル３７及び側部エアセル４１用のホース４５又は前記底部エアセル４２用のホース４６とは別個のものであり、保持部材５の底壁部１７の下面側から開口窓２０に挿通されて、中間エアセル６１に接続されている。従って、中間エアセル６１への空気の給排は、中央エアセル３７及び側部エアセル４１への空気の給排、底部エアセル４２への空気の給排とは別個になすことができる。その他の点は前記実施の形態の場合と同様の構成である。
【００２９】
この実施の形態の場合、中間エアセル６１に空気を供給して、膨張させることにより、一対の中央エアセル３７及び一対の押圧体２７を左右方向外方に押圧して一対の押圧体２７の離間間隔及び一対の中央エアセル３７の離間間隔を変更し、側壁部１８とこれに対向する押圧体２７との間に形成される保持溝２８の溝幅を調整することができる。従って、例えば使用者の足の太さ等に適合するように保持溝２８の溝幅を調整した後に、中間エアセル３７への空気の給排を停止しておくことにより、保持溝２８の溝幅を使用者の足の太さ等に最も適合するように固定しておくことができる。
【００３０】
また、中間エアセル３７を膨張させて、一対の押圧体２７を、保持溝２８に嵌合保持した足に対して一定の押圧力で押圧させた後、中間エアセル３７への空気の給排を停止しておき、この状態で一対の中央エアセル３７に空気を給排させて、一対の中央エアセル３７に膨張収縮動作を繰り返させることにより、使用者の足に対して一定以上の押圧力を与えながら、中央エアセル３７の膨張収縮動作による押圧の強弱変化を加えることができ、より変化に富んだマッサージを繰り返すことができる。また、一対の中央エアセル３７を膨張させて一対の押圧体２７を、保持溝２８に嵌合保持した足に対して一定の押圧力で押圧させた後、中央エアセル３７への空気の給排を停止しておき、この状態で中間エアセル６１に空気を給排して、中間エアセル６１に膨張収縮動作を繰り返させることにより、上記と同様に使用者の足に対して一定以上の押圧力を与えながら、中央エアセル３７の膨張収縮動作による押圧の強弱変化を加えることができ、より変化に富んだマッサージを繰り返すことができる。
【００３１】
さらに、中間エアセル６１と一対の中央エアセル３７を互いに異なる周期で膨張収縮動作を繰り返させることによっても、より変化に富んだマッサージをなし得て、より一層効果的なマッサージをなし得る。
なお、上記図８〜図１５の実施の形態では、一対の中央エアセル３７間に中間エアセル６１を１枚のみ設けているが、設ける中間エアセル６１は１枚に限定されず、一対の中央エアセル３７間に中間エアセル６１を２枚以上設けるようにしてもよい。
【００３２】
図１６及び図１７は他の実施の形態を示し、保持部材５の左右方向中央側に、左右一対の押圧体（可動体、施療体）２７が、前記左右一対の側壁部１８にそれぞれ対向するように設けられ、一対の押圧体２７は、対向する側壁部１８との間でそれぞれ足を保持する保持溝２８を形成している。一対の押圧体２７はその基端部が底壁部１７の開口窓２０に挿入され、前後方向の支持軸６３廻りに回動自在に支持されている。従って、一対の押圧体２７は、底壁部１７側を支点に支持軸６３廻りに揺動可能とされ、これにより左右方向に互いに接離移動するようになっている。
【００３３】
そして、左右一対の中央エアセル３７が、左右一対の押圧体２７間に設けられ、一対の中央エアセル３７は互いに対向しかつ接近して配置され、中央エアセル３７の外側面が対応する押圧体２７の内側面に貼り付けられている。
従って、一対の中央エアセル３７を同時に膨張させたときに、中央エアセル３７同士が互いに反対方向に押圧し合って、左右一対の中央エアセル３７の膨張収縮動作によって押圧体２７を支持軸６３廻りに左右に揺動させて、側壁部１８とこれに対向する押圧体２７との間の保持溝２８に保持された足を押圧体２７を介してマッサージするようになっている。
【００３４】
なお、この場合、前記一対の側部エアセル４１及び一対の底部エアセル４２は省略されているが、これらを設けるようにしてもよい。また、図示省略しているが、底壁部１７、一対の側壁部１８、一対の押圧体２７、一対の中央エアセル３７、一対の側部エアセル４１、一対の底部エアセル４２は、可撓カバー５９によって被覆されている。
なお、一対の中央エアセル３７から空気が排出されると、一対の中央エアセル３７が主として左右方向に収縮し、足を押圧していた反力又は可撓カバー５９の弾性力によって押圧体２７が、左右方向内方に揺動して元の位置に戻るようになっている。ただし、支持軸６３等にコイルバネ等の弾性体を設け、この弾性体のの付勢によって、押圧体２７を左右方向内方に揺動して元の位置に戻すようにしてもよい。
【００３５】
その他の点は前記実施の形態の場合と同様であり、例えば、保持部材５は、図示省略の姿勢調整機構によって、座部３の前端部から垂下する垂下姿勢と、座部３の前端部から前方に突出する前方突出姿勢とに姿勢変更可能となるように構成されている。
なお、上記図１６及び図１７の実施の形態では、保持部材５の左右方向中央側に、別個に形成された左右一対の中央エアセル３７が設けられているが、これに代え、一対の中央エアセル３７を一体に形成するようにしてもよいし、また１枚のエアセルで一対のエアセル３７を兼用するようにしてもよい。また、一対の中央エアセル３７間に、前記図８〜図１５の実施の形態の場合と同様に中間エアセル６１を設けるようにしてもよい。
【００３６】
図１８〜図２３は他の実施の形態を示し、保持部材５の左右方向中央側に、一対の中央エアセル３７の外周を囲むように保形枠６５が設けられている。保形枠６５は、前記一対の中央エアセル３７の膨張方向（左右方向）に所定の幅を有する板材により構成され、底壁部１７の幅方向一端側から他端側に至るアーチ状に形成されて、ボルト６６等で底壁部１７に連結固定されている。
また、前記実施の形態の場合と同様に、底壁部１７、一対の側壁部１８、一対の押圧体２７、一対の中央エアセル３７、一対の側部エアセル４１、一対の底部エアセル４２を、図２０に示すように布等で構成した可撓カバー５９によって被覆しているが、この可撓カバー５９は、前記保形枠６５も、一対の中央エアセル３７及び一対の押圧体２７と共に覆っている。そして、可撓カバー５９の被覆は、一対の押圧体２７、一対の中央エアセル３７、一対の側部エアセル４１、一対の底部エアセル４２の膨張収縮動作乃至マッサージ動作を妨げることなく、可撓カバー５９の弾性乃至可撓性によって十分吸収できるように被覆されている。その他の点は前記図１〜図７の実施の形態の場合と同様の構成である。
【００３７】
この実施の形態の場合、図１〜図７の実施の形態の場合と同様な作用効果を奏すると共に、次のような作用効果を奏する。即ち、一対の保持溝２８に嵌合保持した両足を、一対の中央エアセル３７乃至一対の押圧体２７でマッサージをする際には、一対の中央エアセル３７への空気の給排を繰り返すことにより、一対の中央エアセル３７が膨張収縮動作の繰り返して、一対の押圧体２７が底壁部１７側を支点に左右に揺動を繰り返すこととなり、仮に保持部材５の左右方向中央に保形枠６５がなければ、保持部材５の左右方向中央部で一対の中央エアセル３７が膨張収縮動作や一対の押圧体２７の左右に揺動を繰り返しにより、保持部材５の左右方向中央部の高さが大きく変動を繰り返すことになるが、一対の押圧体２７乃至一対の中央エアセル３７間には保形枠６５があるため、保持部材５の左右方向中央部の高さ変動を保形枠６５によって効果的に押さえることができる。
【００３８】
従って、一対の中央エアセル３７が膨張収縮動作の繰り返しよって、保持部材５全体の形状が大きく変化することはなくなり、例えば、一対の中央エアセル３７が膨張収縮動作の繰り返しよって、可撓カバー５９の保持部材５の左右方向中央部に対応する部分が、マッサージの際に上下に大きく波打ったり、凹んで皺が生じたり、或いは一対の中央エアセル３７間に可撓カバー５９が噛み込んだりするような不都合を確実に防止することができ、一対の中央エアセル３７乃至一対の押圧体２７により、安定したマッサージ動作をすることできる。また、外部から一対の中央エアセル３７等に対して不測の外力がかかって中央エアセル３７等が折れ曲がって損傷したり、破損したりするのを未然に防止することもできる。
【００３９】
なお、上記図１８〜図２３の実施の形態では、保持部材５の左右方向中央側に、別個に形成された左右一対の中央エアセル３７が設けられているが、これに代え、一対の中央エアセル３７を一体に形成するようにしてもよいし、また１枚のエアセルで一対のエアセル３７を兼用するようにしてもよい。
図２４〜図３１は他の実施の形態を示し、図８〜図１５の実施の形態の場合と同様に、左右一対の中央エアセル３７の間に中間エアセル６１が設けられている。中間エアセル６１は左右に扁平な袋状に形成されおり、空気を給排することにより空気圧によって主として左右に膨張収縮動作するように構成され、左右に膨張することによって、前記一対の中央エアセル３７を互いに反対側に押圧するようになっている。また、前記図１８〜図２３の実施の形態の場合と同様に、保持部材５の左右方向中央側に、一対の中央エアセル３７の外周を囲むように保形枠６５が設けられている。保形枠６５は、前記一対の中央エアセル３７の膨張方向（左右方向）に所定の幅を有する板材により構成され、底壁部１７の幅方向一端側から他端側に至るアーチ状に形成されて、ボルト６６等で底壁部１７に連結固定され、可撓カバー５９は、前記保形枠６５も、一対の中央エアセル３７及び一対の押圧体２７と共に覆っている。そして、可撓カバー５９の被覆は、一対の押圧体２７、一対の中央エアセル３７、一対の側部エアセル４１、一対の底部エアセル４２の膨張収縮動作乃至マッサージ動作を妨げることなく、可撓カバー５９の弾性乃至可撓性によって十分吸収できるように被覆されている。
【００４０】
この実施の形態の場合、図１〜図７の実施の形態の場合と同様な作用効果を奏すると共に、図８〜図１５の実施の形態の場合と同様に、中間エアセル６１によって、保持溝２８の溝幅を使用者の足の太さ等に最も適合するように調整できるし、中間エアセル６１と一対の中央エアセル３７との膨張収縮動作よって、より変化に富んだマッサージをなし得る。
また、図１８〜図２３の実施の形態の場合と同様に、保形枠６５によって、保持部材５の左右方向中央部の高さ変動を効果的に押さえることができ、安定したマッサージ動作をすることできるようになる。また、保形枠６５によって、中央エアセル３７等が折れ曲がって損傷したり、破損したりするのを防止できる。
【００４１】
なお、上記図２４〜図３１の実施の形態では、一対の中央エアセル３７間に中間エアセル６１を１枚のみ設けているが、設ける中間エアセル６１は１枚に限定されず、一対の中央エアセル３７間に中間エアセル６１を２枚以上設けるようにしてもよい。
図３２は他の実施の形態を示し、一対の押圧体２７にゴム等で構成した足揉みパッド６９を組み込んだものであり、足揉みパッド６９を芯材３３の外面に貼り付けると共に、第一軟質材３１に埋設し、この足揉みパッド６９により、使用者の足の一部分を集中的に強くマッサージできるようになっている。その他の点は、前記図２４〜図３１の実施の形態の場合と同様の構成である。
【００４２】
この場合、足揉みパッド６９により、足の所望部分を適度な硬さで集中的に押圧でき、より良好なマッサージができようになる。
図３３及び図３４は他の実施の形態を示し、前記一対の押圧体２７は省略され、保持部材５の左右方向中央側に、左右一対の中央エアセル３７が、前記左右一対の側壁部１８にそれぞれ対向するように設けられている。各中央エアセル３７は左右に扁平な袋状に形成されおり、空気を給排することにより空気圧によって主として左右に膨張収縮動作するように構成され、従って、一対の中央エアセル３７を膨張させたときに、中央エアセル３７同士が互いに反対方向に押圧し合って、側壁部１８とこれに対向する中央エアセル３７との間の保持溝２８に保持された足を中央エアセル３７で直接マッサージするようになっている。そして、前記図１８〜図２５の実施の形態の場合と同様に、保持部材５の左右方向中央側に、一対の中央エアセル３７の外周を囲むように保形枠６５が設けられている。また、図示省略しているが、布等で構成した可撓カバー５９によって、前記保形枠６５を、一対の中央エアセル３７等と共に覆っている。その他の点は前記実施の形態の場合と同様の構成である。
【００４３】
この実施の形態の場合、一対の保持溝２８に嵌合保持した両足を、一対の中央エアセル３７及び一対の側部エアセル４１でマッサージをすることができる。また、マッサージの際に、一対の中央エアセル３７間には保形枠６５があるため、保持部材５の左右方向中央部の高さ変動を保形枠６５によって効果的に押さえることができ、例えば、一対の中央エアセル３７が膨張収縮動作の繰り返しよって、可撓カバー５９の保持部材５の左右方向中央部に対応する部分が、マッサージの際に上下に大きく波打ったり、凹んで皺が生じたり、或いは一対の中央エアセル３７間に可撓カバー５９が噛み込んだりするような不都合を確実に防止することができる。
【００４４】
なお、上記図３３及び図３４の実施の形態の場合、一対の中央エアセル３７を起立状態に保持するために、図３４に示すように、各中央エアセル３７をそれぞれ弾性板３６を介して底壁部１７に連結し、一対の中央エアセル３７を、弾性板３６の弾性により底壁部１７側を支点に左右に揺動可能に支持するようにしてもよいし、また、図示省略しているが、一対の中央エアセル３７を保形枠６５に吊り下げるようにしてもよい。また、図３４に示すように、左右一対の側部エアセル４１を設けるようにしてもよいし、側部エアセル４１を省略するようにしてもよい。
【００４５】
なお、前記実施の形態では、一対の押圧体２７を左右方向に揺動自在に支持し、一対の中央エアセル３７の膨張収縮動作により、一対の押圧体２７を左右に揺動させるようにしているが、これに代え、一対の押圧体２７を左右に直線的に往復移動自在に支持し、一対の中央エアセル３７の膨張収縮動作によって、一対の押圧体２７を左右に直線的に往復移動させるようにしてもよい。
また、前記実施の形態では、一対の押圧体３７の間に、エアセル３７又はエアセル６１を左右一対又は３枚設けているが、一対の押圧体２７の間に、エアセル３７又はエアセル６１を１枚のみ設けるようにしてもよいし、また、４枚以上設けるようにしてもよい。
【００４６】
また、前記実施の形態では、保持部材５は、底壁部１７と一対の側壁部１８とを備え、一対の側壁部１８間に使用者の両足を保持して、その保持した両足を中央エアセル３７乃至一対の押圧体２７等でマッサージするようにしているが、これに代え、保持部材５の一対の側壁部１８を省略してもよく、この場合、例えば一対の中央エアセル３７又は一対の押圧体２７と、保持部材５の底壁部１７との間で、使用者の身体を挟むようにしてマッサージするようにしてもよい。また、保持部材５に保持する使用者の身体は足に限定されず、使用者の身体の一部であればよく、使用者の腕や肩その他を保持部材５で保持してマッサージするようにしてもよい。
【００４７】
また、前記実施の形態では、本願発明を、椅子型のマッサージ機に適用実施しているが、本願発明が適用されるマッサージ機は、椅子型のマッサージ機に限定されず、足保持部材５を備えるマッサージ機であれば、ベット式その他のマッサージ機にも適用実施することが可能である。
【００４８】
【発明の効果】
本発明によれば、足等の身体に対してより良好なマッサージをなし得ると共に、保持部材等の中間壁部を不要にして、マッサージ機を製造容易でかつ安価に提供できる。
【図面の簡単な説明】
【図１】本発明の一実施の形態を示す保持部材の平面断面図である。
【図２】図１のＡ−Ａ線断面図である。
【図３】図１のＢ−Ｂ線断面図である。
【図４】保持部材の底面図である。
【図５】保持部材の側面図である。
【図６】図１のＣ−Ｃ線断面図である。
【図７】マッサージ機の全体斜視図である。
【図８】他の実施の形態を示す保持部材の平面断面図である。
【図９】保持部材の正面図である。
【図１０】図８のＤ−Ｄ線断面図である。
【図１１】図８のＥ−Ｅ線断面図である。
【図１２】保持部材の底面図である。
【図１３】保持部材の側面図である。
【図１４】図８のＦ−Ｆ線断面図である。
【図１５】図８のＧ−Ｇ線断面図である。
【図１６】他の実施の形態を示す保持部材の斜視図である。
【図１７】保持部材の正面図である。
【図１８】他の実施の形態を示す保持部材の平面断面図である。
【図１９】図１８のＨ−Ｈ線断面図である。
【図２０】図１８のＩ−Ｉ線断面図である。
【図２１】保持部材の底面図である。
【図２２】保持部材の側面図である。
【図２３】図１８のＪ−Ｊ線断面図である。
【図２４】他の実施の形態を示す保持部材の平面断面図である。
【図２５】保持部材の正面図である。
【図２６】図２４のＫ−Ｋ線断面図である。
【図２７】図２４のＬ−Ｌ線断面図である。
【図２８】保持部材の底面図である。
【図２９】保持部材の側面図である。
【図３０】図２４のＭ−Ｍ線断面図である。
【図３１】図２４のＮ−Ｎ線断面図である。
【図３２】他の実施の形態を示す保持部材の正面断面図である。
【図３３】他の実施の形態を示す保持部材の斜視図である。
【図３４】保持部材の正面断面図である。
【図３５】従来例を示す斜視図である。
【符号の説明】
１    マッサージ機
５    足保持部材
１７  底壁部
１８  側壁部
２７  押圧体
２０  足保持溝
３７  中央エアセル
４１  側部エアセル
４２  底部エアセル
【図１】
0004405050.tif 000002
【図２】
0004405050.tif 000003
【図３】
0004405050.tif 000004
【図４】
0004405050.tif 000005
【図５】
0004405050.tif 000006
【図６】
0004405050.tif 000007
【図７】
0004405050.tif 000008
【図８】
0004405050.tif 000009
【図９】
0004405050.tif 000010
【図１０】
0004405050.tif 000011
【図１１】
0004405050.tif 000012
【図１２】
0004405050.tif 000013
【図１３】
0004405050.tif 000014
【図１４】
0004405050.tif 000015
【図１５】
0004405050.tif 000016
【図１６】
0004405050.tif 000017
【図１７】
0004405050.tif 000018
【図１８】
0004405050.tif 000019
【図１９】
0004405050.tif 000020
【図２０】
0004405050.tif 000021
【図２１】
0004405050.tif 000022
【図２２】
0004405050.tif 000023
【図２３】
0004405050.tif 000024
【図２４】
0004405050.tif 000025
【図２５】
0004405050.tif 000026
【図２６】
0004405050.tif 000027
【図２７】
0004405050.tif 000028
【図２８】
0004405050.tif 000029
【図２９】
0004405050.tif 000030
【図３０】
0004405050.tif 000031
【図３１】
0004405050.tif 000032
【図３２】
0004405050.tif 000033
【図３３】
0004405050.tif 000034
【図３４】
0004405050.tif 000035
【図３５】
0004405050.tif 000036